(57)【要約】【課題】土台の高さ調整を行うに当たり、作業性を向上できるスペーサーを提供する。【解決手段】本発明は、基礎７と土台８との間に配置されるスペーサー１である。スペーサー１は、基部２と、可動部５と、回転操作部４とを備える。基部２は、基礎７の天端面７１に載せられる。可動部５は、基部２に対し上下方向に移動可能であり、土台８を支持する。回転操作部４は、回転操作をすることで前記可動部５を上下方向に移動させる。【選択図】図１
2016008404.tif 000002
【特許請求の範囲】
【請求項１】
基礎と土台との間に配置されるスペーサーであって、
前記基礎の天端面に載せられる基部と、
前記基部に対し上下方向に移動可能であり、前記土台を支持する可動部と、
回転操作をすることで前記可動部を上下方向に移動させる回転操作部と
を備えている
ことを特徴とするスペーサー。
【請求項２】
前記基部と前記可動部とを相互に固定する固定部をさらに備えている
ことを特徴とする請求項１に記載のスペーサー。
【請求項３】
前記基部は前記可動部を支持する支持部を有し、
この支持部の上端は一方から他方に向かうほど高くなるように傾斜しており、
前記支持部の上端と前記可動部との間には、前記支持部の傾斜に沿って移動する移動子が設けられ、
前記回転操作部は、この移動子を前記傾斜に沿って移動させることで前記可動部を上下方向に移動させる
ことを特徴とする請求項１又は請求項２に記載のスペーサー。
【発明の詳細な説明】
【技術分野】
【０００１】
本発明は、スペーサーに関し、より詳しくは、基礎の天端面と土台との間に設置されるスペーサーに関する。
【背景技術】
【０００２】
特許文献１には、基礎と土台との間に設置される従来のスペーサーが開示されている。この従来のスペーサーは、断面三角形状の第１のパッキング体と第２のパッキング体とを備えている。第１のパッキング体の傾斜面と第２のパッキング体の傾斜面には、鋸歯状の段差が形成されている。
【０００３】
スペーサーは、第２のパッキング体の傾斜面が、第１のパッキング体の傾斜面に載るようにして組み合わせられる。これによって、スペーサーは、上下方向の厚みの大きさを変えることができ、土台のレベルを調整することができるように構成される。
【先行技術文献】
【特許文献】
【０００４】
【特許文献１】特開２００１−３１１１６０号公報
【発明の概要】
【発明が解決しようとする課題】
【０００５】
ところで、この従来のスペーサーを用いて土台の高さ調整を行うには、第１のパッキング体の端面を木づち等で叩くことで、第２のパッキング体と第１のパッキング体との位置関係を変える。
【０００６】
このように、この従来のスペーサーでは、土台の高さ調整を行うには、第１のパッキング体を一定以上の力で叩く必要がある。しかし、この従来のスペーサーでは、土台と基礎との間のスペースに沿って木づちを移動させる必要があるため、第１のパッキング体を一定以上の力で叩くのが難しいという問題がある。
【０００７】
本発明は、上記事情に鑑みてなされたものであり、その目的とするところは、土台の高さ調整を行うに当たり、作業性を向上できるスペーサーを提供することにある。
【課題を解決するための手段】
【０００８】
本発明のスペーサーは、基礎と土台との間に配置されるスペーサーであって、前記基礎の天端面に載せられる基部と、前記基部に対し上下方向に移動可能であり、前記土台を支持する可動部と、回転操作をすることで前記可動部を上下方向に移動させる回転操作部とを備えていることを特徴とする。
【発明の効果】
【０００９】
本発明のスペーサーによれば、土台の高さ調整を行うに当たり、作業性を向上することができる。
【図面の簡単な説明】
【００１０】
【図１】本実施形態のスペーサーの使用状態を示す断面図である。
【図２】本実施形態のスペーサーの分解斜視図である。
【図３】本実施形態のスペーサーの斜視図である。
【図４】本実施形態のスペーサーの水平断面図である。
【図５】本実施形態のスペーサーの使用状態を示す正面図である。
【図６】本実施形態のスペーサーの使用状態を示す正面図である。
【図７】図７Ａ，図７Ｂは、本実施形態のスペーサーの高さ調整を説明する断面図である。
【発明を実施するための形態】
【００１１】
以下、本発明の実施形態について添付図面に基づいて説明する。
【００１２】
本実施形態のスペーサー１は、図１に示すように、基礎７の天端面７１と、土台８の下面との間に配置される。スペーサー１は、基部２と、可動部５と、移動子３と、この移動子３に連結された回転操作部４とを備えている。スペーサー１は、可動部５が基部２に対して上下動するように構成されており、これによって、土台８の上面の高さ調整（水平度の調整（レベル調整）を含む）を行うことができる。
【００１３】
以下、土台８の長さ方向に直角な水平方向を前後方向として定義し、特に、スペーサー１において回転操作部４が設けられた側を前側とする。なお、前側は、基礎７の建物側であってもよいし、基礎７の外側であってもよいが、本実施形態では基礎７の外側とする。
【００１４】
基部２は、基礎７の天端面７１に載せられる。基部２は、図２に示すように、底板２１と、底板２１の前端から立ち上げられた第一立上片２２と、底板２１の後端から立ち上げられた第二立上片２３とを備えている。底板２１と第一立上片２２と第二立上片２３とは、側面視Ｕ字状をしており、例えば、曲げ加工によって一体成形されている。また、底板２１は、左右方向の中央に支持部２４を有している。
【００１５】
支持部２４は、底板２１に溶接または絞り加工などによって一体に成形されている。支持部２４は、左右方向に幅を有しており、前後方向に伸びている。支持部２４の上端は、前後方向に傾斜しており、特に前から後に向かうほど（つまり、一方から他方に向かうほど）高くなるように傾斜している。支持部２４は、第一立上片２２と第二立上片２３との間に配置されている。支持部２４は、移動子３を介して可動部５を支持する。
【００１６】
移動子３は、鉛直な前端面３１と、水平な上面３２と、傾斜した下面３３とを有しており、断面が直角三角形状となっている。また、移動子３は、下面３３の幅方向の両側に、下方に突出するガイド片３４が設けられている。
【００１７】
前端面３１には雌ねじ部３５が設けられる。移動子３の下面３３は、後方に向かうほど上方に位置するように傾斜しており、支持部２４の上端と同じ傾斜角度となっている。これにより、移動子３は、支持部２４に載せられると、上面３２が水平となる。このとき、ガイド片３４は、支持部２４の幅方向の両外側に位置し、移動子３の移動のためのガイドとして働く。
【００１８】
移動子３は、支持部２４の上端に沿って移動し（スライドし）、これに伴って上面３２の高さ位置が変わる。移動子３は、第一立上片２２に回転自在に支持された回転操作部４に連結される。
【００１９】
第一立上片２２は、底板２１の前端から立ち上げられている。第一立上片２２には、回転操作部４を回転自在に支持する支持孔２５が設けられている。支持孔２５は、上下方向に長い長孔によって構成される。支持孔２５は、第一立上片２２を貫通し、第一立上片２２の上端に開口する。
【００２０】
支持孔２５には回転操作部４が通される。回転操作部４の回転軸は、水平方向に平行である。回転操作部４は、頭部４１に駆動穴４２が設けられたねじ具によって構成される。駆動穴４２は、例えば、正面視＋字状や、−字状や、六角穴等の多角形状などが例示できる。
【００２１】
また、回転操作部４はワッシャ４３を備える。回転操作部４は、頭部４１とワッシャ４３との間に第一立上片２２が介在するように取り付けられる。なお、このワッシャ４３は、抜け止めされた状態で軸部に設けられている。例えば、回転操作部４は、ワッシャ４３とねじ具とが組み合わせられた、いわゆるセムスねじによって構成される。
【００２２】
回転操作部４は、支持孔２５に挿入された状態で、移動子３の雌ねじ部３５にねじ込まれる。回転操作部４が正方向に回転すると、移動子３は、前方に向かって移動し且つ回転操作部４と一緒に下降する。回転操作部４が逆方向に回転すると、移動子３は、後方に向かって移動し且つ回転操作部４と一緒に上昇する。この移動子３には可動部５が載せられる。
【００２３】
可動部５は、移動子３の上面３２に載せられる。可動部５は、天板５１と、天板５１の前端から下方に向かって伸びる第一垂下片５２と、天板５１の後端から下方に向かって伸びる第二垂下片５３とを備えている。天板５１と第一垂下片５２と第二垂下片５３とは、側面視逆Ｕ字状をしており、曲げ加工によって一体に成形されている。
【００２４】
第一垂下片５２は、第一立上片２２の前面に対向配置される。第一垂下片５２は、第一立上片２２に沿って上下移動する。第一垂下片５２には、上下方向に長さを有する第一長孔５４と、上下方向に長さを有する第二長孔５５と、左右方向の中央に設けられた切欠部５６とを備えている。切欠部５６は、回転操作部４との干渉を回避するために設けられる。
【００２５】
第一立上片２２には第一長孔５４に対応する箇所に第１の雌ねじ孔２６が設けられる。また、第一立上片２２には、第二長孔５５に対応する箇所に挿通孔２７が設けられる。なお、挿通孔２７は、第一立上片２２を貫通し、且つ第一立上片２２の上端に開口している。
【００２６】
第二立上片２３には、挿通孔２７の軸芯上に第２の雌ねじ孔２８が設けられている。この第二立上片２３の前面には、可動部５の第二垂下片５３が対向配置される。第二垂下片５３には、第２の雌ねじ孔２８に対応する箇所に第三長孔５７が設けられる。第三長孔５７は、上下方向に長さを有する。
【００２７】
本実施形態のスペーサー１は、基部２と可動部５とを相互に固定する固定部６を備えている。固定部６は、固着具として、第一立上片２２と第一垂下片５２とを相互に固定する第一固着具６１と、第二立上片２３と第二垂下片５３とを相互に固定する第二固着具６７とを備える。
【００２８】
第一固着具６１は、頭部６２に駆動穴６３が設けられたねじ具である。第一固着具６１は、可動部５の第一垂下片５２の第一長孔５４に通され、基部２の第一立上片２２の第１の雌ねじ孔２６にねじ込まれる。これにより、第一固着具６１は、第一立上片２２と第一垂下片５２とを相互に固定する。
【００２９】
第二固着具６７は、頭部６４に駆動穴６５が設けられたねじ具である。第二固着具６７は、一対のナット６６がねじ込まれており、ねじ部の途中で当該ナット６６がロックされている。第二固着具６７は、可動部５の第一垂下片５２の第二長孔５５に通され、基部２の第一立上片２２の挿通孔２７に通され、さらに、可動部５の第二垂下片５３の第三長孔５７に通され、基部２の第二立上片２３の第２の雌ねじ孔２８にねじ込まれる。第二固着具６７がねじ込まれると、ロックされたナット６６と第二立上片２３とで、第二垂下片５３が挟持される。これにより、第二固着具６７は、第二立上片２３と第二垂下片５３とを相互に固定する。
【００３０】
第一固着具６１および第二固着具６７の頭部６２，６４は、第一立上片２２の前方に配置される。これにより、施工者は、第一立上片２２の前方から工具（本実施形態ではプラスドライバー）の先端を差し込み、工具を水平軸廻りに旋回させ、基部２と可動部５とを相互に固定させることができる。
【００３１】
なお、工具は、固着具６１，６７の頭部の形状に応じて使用される（例えば、スパナや六角レンチ等）。もちろん、インパクトドライバー等の電動工具を用いてもよい。
【００３２】
このような構成のスペーサー１は、図３に示すように、回転操作部４がねじ込まれた移動子３を基部２の支持部２４上に配置し、第二固着具６７を挿通孔２７に通し、この状態で、移動子３上に可動部５を被せる。そして、図４に示すように、第一固着具６１を基部２の第一立上片２２の雌ねじ孔２６に、第二固着具６７を基部２の第二立上片２３の雌ねじ孔２８にねじ込む。これにより、図５に示すように、回転操作部４と固定部６の頭部４１，６２，６４は、前方に臨んだ状態で並設される。
【００３３】
スペーサー１は、基礎７の天端面７１に載置される。図６に示すように、スペーサー１は複数設置される。複数のスペーサー１は、基礎７の天端面７１に沿って所定のピッチで配置される。そして、複数のスペーサー１上に土台８が設置される。土台８上において各スペーサー１に対応する箇所には、間柱や通し柱等の柱部８１が設置される。
【００３４】
施工者は、スペーサー１の前方から回転操作部４を操作し、土台８の高さ調整を行う。具体的には、図７Ａに示すように、施工者は、回転操作部４を正回転させることで、移動子３を前方に移動させ、可動部５を下降させる。これにより、土台８の上面を下げることができる。また、図７Ｂに示すように、施工者は、回転操作部４を逆回転させることで、移動子３を後方に移動させ、可動部５を上昇させる。これにより、土台８の上面を上げることができる。
【００３５】
そして、調整後、施工者は、固定部６を操作して、基部２と可動部５とを相互に固定する。このとき、固定部６は、回転操作部４と同様、前方に臨んでいるため、施工者は作業しやすい。
【００３６】
また、図６に示すように、基礎７と土台８との間には通気隙間８２が形成される。この通気隙間８２によって、基礎７内を換気することができる。
【００３７】
以上、説明したように本実施形態のスペーサー１は、基礎７と土台８との間に配置される。スペーサー１は、基礎７の天端面７１に載せられる基部２と、土台８を支持する可動部５と、回転操作部４とを備える。可動部５は、基部２に対し上下方向に移動可能である。回転操作部４は、回転操作をすることで可動部５を上下方向に移動させる。
【００３８】
このように本実施形態のスペーサー１は、施工者が回転操作をすることで、可動部５を上下方向に移動させることができる。このため、本実施形態のスペーサー１によれば、狭いスペースであっても、回転操作をすることで土台８の高さ調整を行うことができ、作業性を向上できる。
【００３９】
また、本実施形態のスペーサー１は、基部２と可動部５とを相互に固定する固定部６をさらに備えている。
【００４０】
このため、本実施形態のスペーサー１は、回転操作部４によって高さ調整を行った後に、その状態で固定できる。
【００４１】
また、本実施形態の基部２は可動部５を支持する支持部２４を有している。この支持部２４の上端は、一方から他方に向かうほど高くなるように傾斜している。支持部２４の上端と可動部５との間には、支持部２４の傾斜に沿って移動する移動子３が設けられる。回転操作部４は、この移動子３を傾斜に沿って移動させることで可動部５を上下方向に移動させる。
【００４２】
このため本実施形態のスペーサー１は、基部２と可動部５との位置関係を平面視において移動させることなく、上下方向の高さ調整を行うことができる。
【００４３】
なお、本実施形態のスペーサー１は、金属板（例えば鋼板）によって構成されていたが、樹脂材によって構成されてもよい。また、本実施形態のスペーサー１は、基部２と可動部５とを相互に固定する固定部６を備えていたが、固定部６を備えなくてもよい。この場合、基部２と可動部５とは接着により固定されてもよい。
【００４４】
また、本実施形態の固着具および回転操作部４は、ねじ具によって構成されていたが、頭部が正面視六角形状をした、いわゆる六角ボルトによって構成されてもよく、特に限定されない。
【符号の説明】
【００４５】
１      スペーサー
２      基部
２１    底板
２２    第一立上片
２３    第二立上片
２４    支持部
２５    支持孔
３      移動子
３４    ガイド片
３５    雌ねじ部
４      回転操作部
４１    頭部
４２    駆動穴
５      可動部
５１    天板
５２    第一垂下片
５３    第二垂下片
６      固定部
６１    第一固着具
６７    第二固着具
７      基礎
７１    天端面
８      土台
８１    柱部
８２    通気隙間
【図１】
2016008404.tif 000003
【図２】
2016008404.tif 000004
【図３】
2016008404.tif 000005
【図４】
2016008404.tif 000006
【図５】
2016008404.tif 000007
【図６】
2016008404.tif 000008
【図７】
2016008404.tif 000009